(57)【要約】【課題】制御機能付コネクタ装置を各種負荷に接続する場合において、その接続部の構成のコンパクト化、及び、制御機能付コネクタ装置の可及的な構成の共通化を図ること。【解決手段】制御機能付コネクタ装置と負荷との間に、アダプタ装置１０が介在する。アダプタ装置１０は、負荷６０側の各端子６２に接続可能な負荷接続端子を有している。また、アダプタ装置１０は、制御機能付コネクタ装置５０側のコネクタ部５２に嵌合接続可能なコネクタハウジング部３２と、前記負荷接続端子に電気的に接続されると共に、コネクタハウジング部３２に制御機能付コネクタ装置５０側のコネクタ部５２が嵌合接続されることにより、そのコネクタ部の端子に接続可能なコネクタ端子３４とを有するコネクタ部を備えている。【選択図】図１
2005259446.tif 000002
【特許請求の範囲】
【請求項１】
制御機能付コネクタ装置と負荷とを接続するためのアダプタ装置であって、
アダプタハウジングと、
前記アダプタハウジングに組込まれ、前記負荷側の各端子に接続可能な負荷接続端子と、
前記制御機能付コネクタ装置側のコネクタ部に嵌合接続可能なコネクタハウジング部と、前記負荷接続端子に電気的に接続されると共に、前記コネクタハウジング部に前記コネクタ部が嵌合接続されることにより、前記制御機能付コネクタ装置側のコネクタ部の端子に接続可能なコネクタ端子とを有するコネクタ部と、
を備えたアダプタ装置。
【請求項２】
制御機能付コネクタ装置と負荷との接続部製造方法であって、
共通のコネクタ部を持つ制御機能付コネクタ装置を複数準備すると共に、
アダプタハウジングと、前記アダプタハウジングに組込まれ、前記負荷側の各端子に接続可能な負荷接続端子と、前記制御機能付コネクタ装置側のコネクタ部に嵌合接続可能なコネクタハウジング部と、前記負荷接続端子に電気的に接続されると共に、前記コネクタハウジング部に前記コネクタ部が嵌合接続されることにより、前記制御機能付コネクタ装置側のコネクタ部の端子に接続可能なコネクタ端子とを有するコネクタ部とを備えたアダプタ端子であって、少なくとも前記コネクタハウジング部の形状は共通化され、接続予定先となる前記負荷側の端子の形態に応じて複数形態の負荷接続端子を持つアダプタ装置を複数種類準備し、
前記複数種類のアダプタ装置の中から接続先となる負荷に応じたものを選択して、前記負荷に接続すると共に、そのアダプタ装置に前記制御機能付コネクタ装置うちの一つを接続する、接続部製造方法。
【発明の詳細な説明】
【技術分野】
【０００１】
この発明は、負荷制御や通信制御等の制御機能を組込んだ制御機能付コネクタと負荷とを接続するための技術に関するものである。
【背景技術】
【０００２】
車両等における各種負荷に接続されるコネクタとして、負荷制御回路及び通信制御回路を内蔵し、電子制御装置からの制御指令を、通信ラインを介して受取り、この制御指令に基づいて負荷制御を行うものが知られている。
【０００３】
このような制御機能付コネクタ装置は、例えば特許文献１に開示されている。
【０００４】
【特許文献１】特開２００３−１３４７２０号公報
【発明の開示】
【発明が解決しようとする課題】
【０００５】
しかしながら、上述のような制御機能付コネクタ装置の接続先としては、接続端子の形状、位置等が異なる多種多様な負荷が想定される。
【０００６】
このため、これら多種多様な負荷にあわせて、異なるコネクタ形状を持つ制御機能付コネクタ装置を準備する必要があり、製造コスト増等を招く。
【０００７】
また、上記特許文献１では、負荷であるモータを所定のケーシング内に組込み、そのケーシングに外部接続用のコネクタを作り込んでいるが、モータをケーシング内に組込んでいる構成上、大型なものになってしまうという問題がある。特に、負荷数が増えると、個々の負荷にそのような構成を採用することは、実際問題として難しい。
【０００８】
そこで、本発明は、制御機能付コネクタ装置を各種負荷に接続する場合において、その接続部の構成のコンパクト化、及び、制御機能付コネクタ装置の可及的な構成の共通化を図ることを目的とする。
【課題を解決するための手段】
【０００９】
上記課題を解決するため、この発明の第１の態様は、制御機能付コネクタ装置と負荷とを接続するためのアダプタ装置であって、アダプタハウジングと、前記アダプタハウジングに組込まれ、前記負荷側の各端子に接続可能な負荷接続端子と、前記制御機能付コネクタ装置側のコネクタ部に嵌合接続可能なコネクタハウジング部と、前記負荷接続端子に電気的に接続されると共に、前記コネクタハウジング部に前記コネクタ分が嵌合接続されることにより、前記制御機能付コネクタ装置側のコネクタ部の端子に接続可能なコネクタ端子とを有するコネクタ部と、を備えたものである。
【００１０】
また、この発明の第２の態様は、制御機能付コネクタ装置と負荷との接続部製造方法であって、共通のコネクタ部を持つ制御機能付コネクタ装置を複数準備すると共に、アダプタハウジングと、前記アダプタハウジングに組込まれ、前記負荷側の各端子に接続可能な負荷接続端子と、前記制御機能付コネクタ装置側のコネクタ部に嵌合接続可能なコネクタハウジング部と、前記負荷接続端子に電気的に接続されると共に、前記コネクタハウジング部に前記コネクタ部が嵌合接続されることにより、前記制御機能付コネクタ装置側のコネクタ部の端子に接続可能なコネクタ端子とを有するコネクタ部とを備えたアダプタ端子であって、少なくとも前記コネクタハウジング部の形状が共通化され、接続予定先となる前記負荷側の端子の形態に応じて複数形態の負荷接続端子を持つアダプタ装置を複数種類準備し、前記複数種類のアダプタ装置の中から接続先となる負荷に応じたものを選択して、前記負荷に接続すると共に、そのアダプタ装置に前記制御機能付コネクタ装置うちの一つを接続するものである。
【発明の効果】
【００１１】
この発明の第１の態様によると、負荷接続端子を負荷側の各端子に接続すると共に、制御機能付コネクタ装置側のコネクタをコネクタハウジング部に接続して、コネクタ端子と制御機能付コネクタ装置側のコネクタ部の端子とを接続することで、制御機能付コネクタ装置におけるコネクタ部の端子が、負荷側の各端子に電気的に接続される。このため、制御機能付コネクタ装置側に、負荷側の端子の形状、位置等にあわせたコネクタ形状を作り込む必要が無く、この点において、各種負荷に接続される制御機能付コネクタ装置の構成の共通化を図ることができる。
【００１２】
また、この場合に、負荷を所定のケーシング内に組込む必要はなく、負荷にアダプタ装置を外付けするだけでよいため、構成のコンパクト化も図ることができる。
【００１３】
また、この発明の第２の態様によると、負荷接続端子を負荷側の各端子に接続すると共に、制御機能付コネクタ装置側のコネクタ部をコネクタハウジング部に接続して、コネクタ端子と制御機能付コネクタ装置側のコネクタ部の端子とを接続することで、制御機能付コネクタ装置におけるコネクタ部の端子が、負荷側の各端子に電気的に接続される。このため、制御機能付コネクタ装置側に、負荷側の端子の形状、位置等にあわせたコネクタ形状を作り込む必要が無く、この点において、各種負荷に接続される制御機能付コネクタ装置の構成の共通化を図ることができる。
【００１４】
また、この場合に、負荷を所定のケーシング内に組込む必要はなく、負荷にアダプタ装置を外付けするだけでよいため、構成のコンパクト化も図ることができる。
【発明を実施するための最良の形態】
【００１５】
以下、この発明の実施形態に係るアダプタ装置について説明する。
【００１６】
図１は制御機能付コネクタ装置と負荷間に接続されるアダプタ装置を示す斜視図であり、図２は同アダプタ装置が制御機能付コネクタ装置及び負荷に接続された状態を示す図である。
【００１７】
このアダプタ装置１０は、制御機能付コネクタ装置５０と所定の負荷６０とを中継接続するものである。
【００１８】
ここで制御機能付コネクタ装置５０は、通信機能及び負荷６０を駆動する機能を有している。この機能は、制御機能付コネクタ装置５０に内蔵された、所定の制御素子を実装した回路基板によって実現される。また、この制御機能付コネクタ装置５０には、外部配線５８が圧接等の手法を用いて適宜接続されると共に、その一端部にコネクタ部５２が形成されている。このコネクタ部５２は、負荷６０側との接続用の端子５２ａを有している。ここでは、端子５２ａは、後述する雄型端子を接続可能な雌型端子形状に形成されている。
【００１９】
そして、この制御機能付コネクタ装置５０は、外部配線５８を通じて外部の中央制御ユニットからの制御信号を受取り、この制御信号に基づいて、例えば、外部配線５８から与えられる電圧のオンオフ制御を行い、負荷６０の駆動制御を行う。
【００２０】
また、負荷６０としては、例えば、車載エアコンのダンパーの開閉駆動用のＤＣサーボモータや、正逆回転ステッピングモータ等が想定され、制御機能付コネクタ装置５０から与えられる駆動電流に応じて動作する。なお、図１及び図２では、負荷６０として、ＤＣサーボモータが描かれている。
【００２１】
この負荷６０は、例えば、略円柱形状に形成されており、背面側（モータ軸が延出する方向に対して反対側の面）に、負荷６０駆動用の端子６２が延出している。ここでは、雄端子形状（板片状）の一対の端子６２が延出している。この負荷６０は、そのモータ軸の駆動力を所定の対象駆動部品に伝達可能な態様にて、所定の取付対象部材（例えば、車載エアコンのダンパー構成部品）に取付けられる。この取付状態では、アダプタ装置１０を容易に取付けることができるように、負荷６０の背面側部分が、取付対象部材の外方に露出していることが好ましい。
【００２２】
アダプタ装置１０は、アダプタハウジング１２と、負荷接続端子２０と、コネクタ部３０とを備えている。
【００２３】
アダプタハウジング１２は、例えば、樹脂成型等で形成される絶縁性部材であり、上記負荷接続端子２０及びコネクタ部３０のコネクタ端子３４を所定形態（位置、姿勢等）で保持する。ここでは、アダプタハウジング１２は、負荷６０の外径よりも大きな外径を持つ短円柱状に形成されている。
【００２４】
また、アダプタハウジング１２の一端面（図１の下面）には、負荷６０の背面部分を嵌め込み可能な略円穴状の収容凹部１２ｈが形成されており、この収容凹部１２ｈ内に負荷６０の背面部分が内嵌めされるようになっている。
【００２５】
負荷接続端子２０は、例えば、金属板材を適宜屈曲打抜き加工することにより形成されるものであり、負荷６０側の各端子６２に接続可能な端子形状に形成されている。ここでは、負荷接続端子２０は、雄端子形状の端子６２を挿入接続可能な雌端子形状に形成されており、上記負荷６０側の端子６２に対応して２つ設けられている。これら各負荷接続端子２０は、上記収容凹部１２ｈの内面部分であって、上記各端子６２対応する位置に埋設状に組込まれている。そして、負荷６０の背面部分を収容凹部１２ｈ内に内嵌めすることにより、負荷６０の各端子６２が各負荷接続端子２０にそれぞれ挿入接続されて電気的に接続される。
【００２６】
なお、アダプタ装置１０と負荷６０との上記接続形態を、係合構造やねじ止にて、保持するようにしてもよい。また、上記負荷接続端子２０の形状は、上記のような雌型端子形状の他、相手側である負荷６０の端子６２形状にあわせて雄型端子形状、或は、端子６２に弾接可能なバネ端子構造を持つものであってもよく、要するに、負荷６０の端子６２に電気的に接続可能な種々の端子構造を採用することができる。
【００２７】
コネクタ部３０は、コネクタハウジング部３２と、コネクタ端子３４とを備えている。コネクタ端子３４は、負荷６０の端子６２に対応して２つ設けられている。
【００２８】
コネクタハウジング部３２は、制御機能付コネクタ装置５０のコネクタ部５２を嵌合接続可能な形状に形成されている。ここでは、制御機能付コネクタ装置５０のコネクタ部５２が略各筒状に形成され、コネクタハウジング部３２が当該コネクタ部５２内に嵌め込み可能な略直方体突起部状に形成されている。そして、制御機能付コネクタ装置５０のコネクタ部５２をコネクタハウジング部３２に外嵌めするようにして、両者の嵌合接続がなされるようになっている。
【００２９】
また、コネクタ端子３４は、例えば、金属板材を適宜打抜き屈曲加工することにより形成されるものであり、上記アダプタハウジング１２内で対応する負荷接続端子２０に電気的に接続されている。
【００３０】
コネクタ端子３４と負荷接続端子２０との電気的な接続は、両者別々に形成されたものをワイヤ等の配線材及びはんだ付を介して行うものであってもよいし、また、コネクタ端子３４と負荷接続端子２０とを中継部を介して相互に連結するように、金属板材を打抜き屈曲加工して一体形成した構成であってもよい。
【００３１】
また、コネクタ端子３４は、上記コネクタ部５２の端子５２ａに接続可能に構成されている。ここでは、コネクタ端子３４は、雌端子形状とされた端子５２ａに接続可能な板片状の雄端子形状に形成されている。
【００３２】
このコネクタ端子３４は、コネクタハウジング部３２に対してその外方に突出するように設けられている。そして、上記コネクタ部５２をコネクタハウジング部３２に外嵌めするように両者を嵌合接続すると、各コネクタ端子３４が対応する端子５２ａに挿入接続されて電気的な接続がなされるように構成されている。
【００３３】
図３は、図１及び図２に示す場合とは異なる負荷６０Ｂに接続されるアダプタ装置１０Ｂを示している。
【００３４】
このアダプタ装置１０Ｂが上記アダプタ装置１０と異なる点は、次の通りである。
【００３５】
すなわち、このアダプタ装置１０Ｂは、接続対象として上記負荷６０とは異なる負荷６０Ｂを想定している。
【００３６】
この負荷６０Ｂは、例えばステッピングモータであり、上記負荷６０よりもより多数の端子（例えば６つ）を有している。
【００３７】
このため、本アダプタ装置１０Ｂは、当該負荷６０の各端子に接続可能なより多数の負荷接続端子を有している。勿論、このアダプタ装置１０Ｂにおける負荷接続端子も、当該負荷６０の端子構成に応じて当該端子に接続可能な形状及び位置に形成されている。
【００３８】
また、本アダプタ装置１０Ｂは、その負荷６０の端子数に応じてより多数のコネクタ端子３４Ｂを有している。各コネクタ端子３４Ｂは、上記コネクタ端子３４と同様に、コネクタハウジング部３２に突出形成されている。
【００３９】
なお、このアダプタ装置１０Ｂに接続される制御機能付コネクタ装置５０Ｂとしては、上記コネクタ端子３４Ｂに応じた端子を持つものが用いられる。その他の点については、本制御機能付コネクタ装置５０Ｂと上記制御機能付コネクタ装置５０とは基本的に同一形状である。
【００４０】
このように構成されたアダプタ装置１０，１０Ｂを用いて、制御機能付コネクタ装置５０，５０Ｂと負荷６０，６０Ｂとの接続部を製造する方法について説明する。
【００４１】
まず、コネクタ部５２，５２Ｂを持つ制御機能付コネクタ装置５０，５０Ｂを準備する。なお、コネクタ部５２，５２Ｂは、嵌合接続構造に関して共通であり、内部の端子数、形状は異なっていてもよい。
【００４２】
また、上記のように、それぞれ異なる形態を持つ負荷接続端子２０等及びコネクタ端子３４，３４Ｂを持つアダプタ装置１０，１０Ｂを複数種類準備する。
【００４３】
そして、接続先となる負荷６０，６０Ｂに応じて適切なアダプタ装置１０，１０Ｂを選択する。例えば、負荷６０を接続する場合にはアダプタ装置１０を、また、負荷６０Ｂを接続する場合にはアダプタ装置１０Ｂを選択する。
【００４４】
そして、アダプタ装置１０（又は１０Ｂ）を、対応する負荷６０（６０Ｂ）に接続する。この後又は前に、制御機能付コネクタ装置５０（又は５０Ｂ）をアダプタ装置１０（又は１０Ｂ）に接続する。
【００４５】
これにより、制御機能付コネクタ装置５０，５０Ｂと負荷６０，６０Ｂとの接続部が製造される。
【００４６】
以上のように構成されたアダプタ装置１０，１０Ｂ及び接続部の製造方法によると、負荷接続端子２０を負荷６０，６０Ｂ側の端子６２に接続すると共に、制御機能付コネクタ装置５０，５０Ｂ側のコネクタ部５２，５２Ｂをコネクタハウジング部３２に嵌合接続して、コネクタ端子３４，３４Ｂと制御機能付コネクタ装置５０，５０Ｂ側のコネクタ部５２，５２Ｂの端子５２ａとを接続することで、制御機能付コネクタ装置５０，５０Ｂにおけるコネクタ部５２，５２Ｂの端子５２ａが、負荷６０，６０Ｂ側の各端子６２等に電気的に接続される。このため、制御機能付コネクタ装置５０，５０Ｂ側に、負荷６０，６０Ｂの端子６２等の形状や位置にあわせたコネクタハウジング部形状を作り込む必要が無く、その端子６２等の数、位置を変えるだけで対処でき、この点において、各種負荷６０，６０Ｂに接続される制御機能付コネクタ装置５０，５０Ｂの構成の共通化を図ることができる。
【００４７】
また、この場合に、従来のように、負荷６０，６０Ｂを所定のケーシング内に組込む必要はなく、負荷６０，６０Ｂにアダプタ装置１０，１０Ｂを外付けするだけでよいため、構成のコンパクト化も図ることができる。
【００４８】
なお、各種アダプタ装置１０，１０Ｂは、制御機能付コネクタ装置５０，５０Ｂが嵌合接続されるコネクタハウジング部３２の部分が、少なくとも共通の形状を保っていればよく、その他の形状は相互に同じ形状でなくともよい。
【００４９】
また、制御機能付コネクタ装置５０，５０Ｂ側のコネクタ部５２，５２Ｂと、コネクタハウジング部３２との嵌合接続において、例えば、コネクタハウジング部３２がコネクタ部５２，５２Ｂに外嵌めされる形状であってもよい。要するに、コネクタ部５２，５２Ｂとコネクタハウジング部３２とが所定の凹凸関係で嵌まり合って接続形態が維持される構成であればよい。
【図面の簡単な説明】
【００５０】
【図１】この発明の実施形態に係るアダプタ装置とこれに接続される制御機能付コネクタ装置及び負荷を示す斜視図である。
【図２】同アダプタ装置が制御機能付コネクタ装置及び負荷に接続された状態を示す図である。
【図３】異なる種類の負荷に接続されるアダプタ装置とこれに接続される制御機能付コネクタ装置及び負荷を示す斜視図である。
【符号の説明】
【００５１】
１０，１０Ｂ  アダプタ装置
１２  アダプタハウジング
２０  負荷接続端子
３０  コネクタ部
３２  コネクタハウジング部
３４，３４Ｂ  コネクタ端子
５０，５０Ｂ  制御機能付コネクタ装置
５２，５２Ｂ  コネクタ部
５２ａ  端子
６０，６０Ｂ  負荷
６２  端子
【図１】
2005259446.tif 000003
【図２】
2005259446.tif 000004
【図３】
2005259446.tif 000005